(57)【特許請求の範囲】
【請求項１】
種々の釣針を収容する多用途釣針ケースであって、
本体にヒンジ連結され、且つ、該本体の中央部の所定位置に設けられた第１作動ボタンを操作するワンタッチの開口作業に伴う付勢力によって該本体に対してヒンジ部回りに回動して開口するように構成された蓋と、
底部に配設されたマグネットを介して、前記本体の第１側の所定位置に固定されたスチールプレートに取り付けられ、且つ、種々の釣針を傾斜した状態で等間隔に収容するように構成された少なくとも一つの釣針収容体と、
種々の釣り用小物を個別に収容する複数のセルを有し、前記本体の第２側の所定位置に固定されたアクセサリーケースであって、第２作動ボタンを操作するとスプリングの付勢力によってヒンジ回りに回動するカバーが連結されたアクセサリーケースと、
前記本体の所定位置に形成された釣り糸結束具収容セルであって、所望の釣り糸を所望の釣針に結束する為に使用される釣り糸結束具が収容される釣り糸結束具収容セルとを備えていることを特徴とする多用途釣針ケース。
【請求項２】
前記蓋の所定位置に設けられた魚の重量を測定する重量測定手段を、さらに備え、
前記重量測定手段は、フック及び重量スケールを有し、前記フックに魚を引っかけて該釣針ケースを懸架すると、前記重量スケールが魚の重量を示すように構成されていることを特徴とする請求項１に記載の多用途釣針ケース。
【請求項３】
前記本体の所定位置に設けられた魚の長さを測定する測定テープを、さらに備えていることを特徴とする請求項１に記載の多用途釣針ケース。
【請求項４】
前記本体の所定位置に連結された吊り下げループを、さらに備え、
前記吊り下げループは、雄型ジャック及び雌型ジャックを有し、ユーザーが該釣針ケースの紛失に対して注意を払うことなく該釣針ケースを容易に携帯し得るように構成されていることを特徴とする請求項１に記載の多用途釣針ケース。
【請求項５】
前記釣り糸結束具は、
釣り糸結束片における先端部の所定位置に取り付けられ、磁力を介して選択された釣針を該釣り糸結束片に吸着させる釣針マグネットと、
前記釣り糸結束片の先端部に設けられ、前記釣針マグネットが不意に該釣り糸結束片から脱離しないように、該釣針マグネットを収容する凹状収容部であって、該釣針マグネットの対向両側壁が前記釣り糸結束片の先端部に設けられた２つの押圧アームによってしっかりと支持されるように構成された凹状収容部と、
前記釣り糸結束片における釣り糸フックの内端部に設けられ、釣り糸を所望位置で切断する為に使用される切断エッジと、
前記釣り糸結束片の基端部に一体的に設けられた回転部材と、
前記釣り糸結束片を収容する際に、該釣り糸結束片及び回転部材の双方を収容する収容溝を有するグリップ部とを備え、
前記回転部材のヒンジ軸は前記グリップ部の対向側面によって回転自在に支持され、
前記釣り糸結束片が前記収容溝内に完全に収容された際に、前記回転部材の頭部を選択的に保持するように、前記収容溝の各側壁の内周面には前記ヒンジ軸回りに沿った位置にガイド溝が設けられ、
前記収容溝には、前記釣り糸結束片とは反対側の外端部に、該収容溝内に収容された釣り糸結束片を水平に支持する結束片支持体が設けられていることを特徴とする請求項１に記載の多用途釣針ケース。
【請求項６】
種々の釣り用小物を収容し得るように、前記本体の所定位置に設けられた補助収容セルであって、該セル内に釣り用小物を保持する少なくとも一つのラバーマグネットが配設された補助収容セルと、
装着リブを有し、前記本体の他の所定位置に配設された第１装着領域であって、底部にマグネットが配設され且つ海釣り用釣り糸が巻き回される海釣り用釣り糸巻き付け部が設けられた海釣り用釣針収容体が少なくとも一つ装着されてなる第１装着領域と、
前記第１装着領域内に着脱自在に装着され、セル内に複数の淡水釣り用釣針を収容し得るように構成された淡水釣り用釣針収容体であって、淡水釣り用釣針に連結された釣り糸が挿通される孔が形成された淡水釣り用釣針収容体と、
装着リブを有し、前記蓋の所定位置に設けられた第２装着領域であって、セル内に複数の大型釣針を収容する他の釣針収容体が着脱自在に装着される第２装着領域と、
必要に応じて選択的に開閉されるように、前記本体の下端部にヒンジ連結された下部ケースであって、種々の釣り用小物を個別に収容する複数のセルに分割された下部ケースとを備えていることを特徴とする請求項１に記載の多用途釣針ケース。
【請求項７】
オン／オフスイッチ、チャンネルスイッチ、及び音量スイッチを有するラジオが前記蓋の所定位置に設けられていることを特徴とする請求項６に記載の多用途釣針ケース。
【請求項８】
ライターが前記蓋の所定位置に設けられていることを特徴とする請求項６に記載の多用途釣針ケース。
【請求項９】
フラッシュライトが前記蓋の所定位置に設けられていることを特徴とする請求項６に記載の多用途釣針ケース。
【発明の詳細な説明】
【０００１】
（技術分野）
本発明は、釣針ケースに関する。より詳しくは、本発明は、釣り糸をより簡便且つ迅速に釣針に結束し得る釣り糸結束具を備えた釣針ケースに関する。該釣針ケースは、共働する釣針収容体内に釣り糸が連結された状態の釣針及び／又は釣り糸が連結されていない状態の釣針を容易且つ確実に収容するように構成され得る。さらに、前記釣針ケースには、魚の大きさや重量を測定する手段、及び／又は、ラジオ，ガスライター、及び／又はフラッシュライトを備え得る。
【０００２】
（背景技術）
釣り糸を釣針に結束する場合、ユーザーは釣針のアイに釣り糸の端部を注意深く挿通させ、その後、該釣り糸を釣針に結束させる必要がある。しかしながら、斯かる結束方法は、ユーザーにとって面倒であり、夜間や気温変化が激しい場合、特に、気温が低い場合には非常に長時間を要するという問題がある。
【０００３】
このような問題点を解消する為に、釣り糸を釣針に幾分容易に結束し得るように構成されたＵ型釣り糸結束具が提案され使用されている。しかしながら、該従来の釣り糸結束具は、釣り糸を結束させる毎にユーザーが釣針ケースから所望の釣針を直接手で取り出さなければならず、且つ、釣り糸を結束させる過程で釣針が動いてしまう為、釣り糸の結束作業が依然として困難であるという問題がある。
【０００４】
さらに、前記従来の釣針ケースは、釣り糸を巻取り又は保持する手段や魚の大きさ又は重量を測定する手段、及び／又は、ラジオ，ガスライター又はフラッシュライトを備える構造を有していない。
【０００５】
（発明の開示）
本発明は、前記従来技術における問題点に鑑みなされたものであり、本発明の一の目的は、ユーザーがより容易且つ迅速に釣り糸を釣針に結束することを可能とする釣り糸結束具を備え、特に、該釣り糸結束具には釣り糸結束作業中に選択された釣針が不意に移動しないように該釣針をしっかりと保持する為のマグネットが備えられ、且つ、前記釣り糸結束具の釣り糸フックの内端部には切断エッジが設けられ、これにより、必要時にユーザーが釣り糸を所望位置で容易且つ迅速に切断し得るように構成された多用途釣針ケースを提供することである。
【０００６】
本発明の他の目的は、釣り糸結束片を備えた多用途釣針ケースであって、釣り糸が連結された種々の釣針又は釣り糸が連結されていない種々の釣針を、ユーザーが共働する釣針収容体内に容易且つ確実に収容し得るように構成され、ユーザーが釣り場において魚の大きさを正確に測定することを可能とする測定テープが所定位置に設けられ、ユーザーが釣り場において魚の重量を正確に測定することを可能とする重量測定手段が所定位置に設けられ、且つ、別体のラジオ，ガスライター又はフラッシュライトを携帯することなくユーザーがこれらを簡便に使用することを可能とすべく、ラジオ，ガスライター及び／又はフラッシュライトが所定位置に設けられてなる多用途釣針ケースを提供することである。
【０００７】
前記目的を達成する為に、本発明は、一態様として、種々の釣針を収容する多用途釣針ケースを提供する。該多用途釣針ケースは、本体にヒンジ連結され、該本体の中央部の所定位置に設けられた第１作動ボタンを操作するワンタッチ動作に伴う付勢力によって該本体に対してヒンジ部回りに回動する蓋であって、ユーザーが本体内の収容物を視認することを可能とする窓が所定位置に設けられた蓋と、底部に配設されたマグネットによって、前記本体内の第１側の所定位置に固定されたスチールプレートに取り付けられ、且つ、種々の釣針を等間隔に傾斜状態で収容するように構成された少なくとも一つの釣針収容体と、種々の釣り用小物を個別に収容する複数のセルを有し、前記本体内の第２側の所定位置に固定されたアクセサリーケースであって、ヒンジによって回動自在に連結され、且つ、第２作動ボタンを操作するとスプリングによって該ヒンジ回りに回動するカバーを備えたアクセサリーケースと、前記本体内の所定位置に形成された釣り糸結束具収容セルであって、所望の釣り糸を所望の釣針に結束させる為に使用される釣り糸結束具を収容する釣り糸結束具収容セルとを備えている。
【０００８】
（発明を実施するための最良の形態）
以下、本発明の一実施の形態に係る多用途釣針ケースについて添付図面を参照しつつ説明する。図１〜図６は、釣り糸結束具を備えた，本発明の一実施の形態に係る釣針ケースの構造及び作動状態を示している。図中、符号１は、本発明に従った海釣り用多用途釣針ケースである。
【０００９】
図に示すように、本実施の形態に係る釣針ケース１は、種々の釣針を収容し得るように構成されており、蓋１５が設けられた本体１０を有している。前記蓋１５には所望位置に窓１６が備えられており、ユーザーがケース１内の収容物を視認し得るようになっている。前記蓋１５はバネ１４で付勢されたヒンジ１３によって前記本体１０の後壁に揺動自在に連結されている。好ましくは、前記本体の前壁の所望位置に、板ばね１２によって常時外方へ付勢されている第１作動ボタン１１を備えることができ、ユーザーが該第１作動ボタン１１を操作すると、斯かるワンタッチで、前記バネ１４の復元力によって前記蓋１５が前記ヒンジ１３回りに開口するように構成される。
【００１０】
前記ケース１の本体１０内には一方側の所望位置にスチールプレート２３が固着されている。該スチールプレート２３の上面には、底部マグネット２２の磁力によって一又は複数の小サイズ又は大サイズの釣針収容体２０，２０ａが着脱自在に取り付けられている。該一又は複数の釣針収容体２０，２０ａは、種々の釣針を、傾斜状態で且つ一定間隔で収納し得るように配設された釣針収納ポケットを有している。前記マグネット２２は、前記釣針収容体２０，２０ａの底部に形成された長手方向に延びるスリット２１内に設置されている。このように、スチールプレート２３の上面にマグネット２２を取り付けることにより、永久磁石２２を等方性から異方性に変更することができ、これにより、本実施の形態に係るケース１と共に、ユーザーの衣服のポケット内に収納され得る種々の磁気カードの磁気テープへの磁石の影響を防止することができる。
【００１１】
本発明の好ましい実施の形態においては、釣針収容体２０，２０ａは、永久磁石２２を用いて前記スチールプレートに取り付けられる。しかしながら、本発明の作用に影響を及ぼすことなく、前記永久磁石の代わりに、ラバーマグネット又はプラスチックマグネットを使用することも可能である。
【００１２】
さらに、前記釣針ケース１の本体１０の他方側には、アクセサリーケース３０が固着されている。前記アクセサリーケース３０は、本体３１と、該本体３１を閉塞するカバー３３とを備えている。該カバー３３は、ユーザーが第２作動ボタン３４を操作すると、バネ３６による付勢力によって開口されるように、ヒンジ３５を介して前記本体３１に揺動自在に連結される。該アクセサリーケース３０は、種々の釣り用小物を個別に収納する複数のセル３２を備えている。
【００１３】
前記本体１０内の所定位置には、釣り糸結束具１９を収容する為の釣り糸結束具収容セル１０ａが形成されている。該釣り糸結束具１９は、釣り糸を、前記釣針収容体２０，２０ａに収容された釣針中の所望の釣針に結束する為に使用される。
【００１４】
より詳しくは、前記釣り糸結束具１９にはマグネットが備えられ、詳細は後述するように、該マグネットの磁力によって前記釣針収容体２０，２０ａから所望の釣針を容易に取り出せるようになっている。さらに、前記釣り糸結束具１９には、必要な場合に釣り糸を切断する為の切断エッジが備えられる。
【００１５】
前記蓋１５の所定位置には重量測定手段１７が備えられる。該重量測定手段１７は、フック１７ｂ及び重量スケール１７ａを有しており、魚を前記フック１７ａに吊り下げると前記重量スケール１７ａが該魚の重量を示すようになっている。斯かる重量測定手段１７を備えることにより、必要な場合にユーザーが魚の重量を測定することができる。
【００１６】
図中、符号１８は、本体１０の所定位置に備えられる測定テープであり、本体１０内に弾性的に巻取られており、使用時には測定テープを巻き出だして魚の長さを測定し得るようになっている。
【００１７】
雄型ジャック及び雌型ジャックを有するジャックアッセンブリ４１を備えた吊り下げループ４０が、本体１０の所定位置に連結されており、これにより、ユーザーが不注意によって釣針ケース１を紛失することなく、該釣針ケース１を容易に携帯できる。
【００１８】
以下、斯かる構成の前記海釣り用釣針ケース１の動作説明を行う。
ケース１の蓋１５を開放する場合、ユーザーは指で、バネで付勢されている前記第１作動ボタン１１を操作する。その後、釣り糸を結束する前に、結束具１９を用いて磁力を利用して所望の釣針を釣針収容体２０，２０ａから取り出す。なお、種々の大型釣針は大きな釣針収容体２０のセル内に収容されており、他方、種々の小型釣針は小さな釣針収容体２０ａのセル内に収容されている。このように釣針収容体の大きさを複数設けておくことにより、ユーザーに対してさらなる利便性を提供することができる。
【００１９】
前述のように、各釣針収容体２０，２０ａの底部にはマグネット２２が装着されており、これにより、釣針収容体２０，２０ａが、釣り糸結束具収納セル１０ａの近傍で本体１０内に設置されている前記スチールプレート２３に、磁力によって吸着されるようになっている。
【００２０】
本実施の形態に係る釣針ケース１において、前記アクセサリーケース３０は、種々の釣針及び種々の釣り用小物を収納し得るように構成されている。
【００２１】
より詳しくは、前記アクセサリーケース３０のケース本体３１は、複数のセルに分割されており、種々の釣針やブレード，スピナー及びフロート等の種々の釣り用小物を個別に且つ整然と収容し得るようになっている。該アクセサリーケース３０においては、カバー３３がヒンジ３５を介してケース本体に揺動自在に連結されており、ユーザーが第２作動ボタンを操作するとバネ３６の復元力によってカバー３３がヒンジ３５回りに開放位置へ回転するようになっている。前記カバー３３によってケース本体３１を閉塞させる場合には、前記カバー３３が前記第２作動ボタン３４によって完全に閉塞位置に保持されるまで、該カバー３３を閉塞位置へ向けて回転させる。
【００２２】
前述のように、前記蓋１５の所定位置には窓１６が備えられており、ユーザーは、蓋１５の外方からケース１内の収容物を視認することができる。さらに、雄型ジャック及び雌型ジャックを有するジャックアッセンブリ４１を備えた吊り下げループ４０が釣針ケース１の所定位置に連結されており、これにより、ユーザーは釣りを行っている間、該釣針ケース１を手首等に吊り下げることができ、該釣針ケース１の紛失を心配することなく釣りに集中することができる。
【００２３】
さらに、本実施の形態に係る釣針ケース１は、その場で魚の重量測定を可能とする。魚の重量測定のプロセスは図１ｃに示されている。
【００２４】
魚の重量測定を行う場合には、まず、魚を重量測定手段１７のフック１７ｂに引っかける。この状態で、釣針ケースを把持して魚を吊り下げると、重量スケール１７ａが魚の重量を表示する。斯かる重量測定手段１７を備えることにより、必要に応じて吊り上げた魚の重量をその場で正確に測定することができる。
【００２５】
さらに、本実施の形態に係る釣針ケース１においては、図１ｄに示すように、吊り上げた魚の大きさをその場で測定することができる。
【００２６】
魚の大きさを測定したい場合、測定テープ１８がケース１の本体１０の内部から引き出され、該引き出された測定テープ１８を用いて魚の大きさが正確に測定される。該測定テープ１８は、バネによって、常時、本体１０内に収容される巻取り位置に向けて付勢されている。従って、魚の大きさを測定した後、測定テープ１８から外部操作力を解除すると、該測定テープ１８は付勢力によって自動的に本体１０内に完全に巻取られる。
【００２７】
図２ａ及び２ｂは、本発明の実施の形態２に係る海釣り又は淡水釣り用多用途釣針ケースの構造及び作用を示す図面である。本実施の形態に係る釣針ケースは、釣り糸を釣針に結束させた状態で、該釣針をケースにおける釣針収容体のセル内に収容し得るように構成されている。
【００２８】
即ち、本実施の形態２に係る釣針ケースにおいては、ケースの本体１０内の所定位置に補助収納セル１０ｆが備えられており、該補助収納セル１０ｆ内には少なくとも一つのラバーマグネット１０ｇが配設されている。さらに、ケースの本体１０内の他の位置には、装着リブ１０ｅを有する第１収納領域１０ｄが設けられており、該第１収納領域１０ｄには少なくとも一つの釣針収容体５０が配設されている。該釣針収容体５０には、海釣り用釣り糸が巻取られる海釣り用釣り糸巻取り部５１が備えられている。前記釣針収容体５０の下部には、さらに、マグネット２２が備えられている。斯かる態様において、前記釣針収容体５０回りに巻き回される海釣り用釣り糸５２は、好ましくは、約３０ｃｍの長さとされる。但し、該釣り糸の長さは所望により変更され得る。
【００２９】
前記第１収容領域１０ｄには、さらに、淡水魚用釣針収容体５０ａが着脱自在に収容されている。該淡水魚用釣針収容体５０ａは、セル内に、淡水釣りに使用されるように構成された複数の双頭釣針を収容し得るように構成されている。淡水用釣針収容体５０ａにおいては、双頭釣針に結束された釣り糸は釣針収容体に形成された釣り糸孔５０ｄに挿通されており、該収容体５０ａに保持されるようになっている。
【００３０】
図中、符号１５は、装着リブ１５ｂを有する第２収容領域１５ａが設けられた蓋である。該第２収容領域１５ａには、複数の大型釣針を収容する為に使用される釣針収容体５０ｃが着脱自在に装着される。
【００３１】
前記本体１０の下端部には、補助下部ケース８０がヒンジ連結されている。該下部ケース８０は、必要に応じて、選択的に開放される。該補助ケース８０は、種々の釣り用小物を個別に収容する複数のセルに分割されている。
【００３２】
さらに、前記蓋１５の所望位置には、ON/OFFスイッチ６１，チャンネルスイッチ６２，音量スイッチ６３及びスピーカ６４を有するラジオ６０が、備えられている。さらに、ガスライター７０及びフラッシュライト９０が、釣針ケース１における蓋１５の所定位置に配設される。ユーザーに対して前記ライター７０の作動を許容する為に、前記蓋１５に外部操作可能な作動ボタン７１が配設されている。斯かる追加の構成を除き、本実施の形態に係る釣針ケース１の他の構成は、前記実施の形態１における釣針ケースと同様である。
【００３３】
ここで、海釣り又は淡水釣りに使用される前記釣針ケース１の作用について詳細に説明する。
【００３４】
本実施の形態に係る釣針ケース１における前記蓋１５の開放又は閉塞方法は、前記実施の形態１に係る釣針ケースと同様である。なお、本実施の形態に係る釣針ケース１においては、海釣り用釣り糸巻取り部５１が釣針収容体５０の底部に形成されており、収容体５０に収容された釣針に連結され且つ約３０ｃｍの長さを有する海釣り用釣り糸を該釣り糸巻取り部５１に巻き付けることによって、ユーザーは容易に該釣り糸を収容させることができる。他方、複数の双頭釣針は、該双頭釣針に結束された釣り糸が淡水用釣針収容体５０ａの底部に形成された釣り糸孔５０ｄに挿通された状態で、該淡水用釣針収容体５０ａのセル内に保持されている。このように、本実施の形態に係る釣針ケース１においては、該ケース１と共に使用される釣針収容体に淡水用釣針及び海釣り用釣針を容易且つ分離して収容させることができ、釣り中のユーザーに対し利便性を提供することができる。
【００３５】
さらに、本実施の形態に係る釣針ケース１においては、他の釣針収容体５０ｃのセル内に複数の大型釣針が保持される。前記釣針収容体５０，５０ａは、本体１０の第１収容領域１０ｄ内の装着リブ１０ｅに着脱自在に装着され、他方、釣針収容体５０ｃは、本体１０の第２収容領域１０ｄ内の装着リブ１５ｂに着脱自在に装着される。
【００３６】
前記釣針収容体５０ａにおける各セルには、ラバーマグネットが備えられており、これにより、各セルが容易且つ確実に釣針を保持し得るようになっている。
【００３７】
必要時に選択的に開放され得るように、本体１０の底部にヒンジ連結された追加下部ケース８０は複数のセルに分割されており、人工エサ等の種々の釣り用小物を各セル内に個別に収容し得るようになっている。
【００３８】
釣針ケース１において、前記蓋１５の所定位置にはラジオ６０が備えられている。該ラジオ６０は前記ON/OFFスイッチ６１によって作動する。ユーザーがラジオ６０のチャンネル選択及び音量調整を行えるように、該ラジオ６０には、チャンネルスイッチ６２及び音量スイッチ６３が備えられている。該ラジオは、さらに、音声を出力するスピーカ６４を備えている。
【００３９】
さらに、本実施の形態に係る釣針ケース１は、所定位置にガスライター７０を備えている。該ライター７０は、作動ボタン７１によって作動され、緊急ライターとして使用され得る。従って、ユーザーが他のライターを保有していない場合には特に有用となる。
【００４０】
さらに、前記フラッシュライト９０が、釣針ケース１の蓋１５における所定位置に設けられている。該フラッシュライト９０は、釣針ケースの所定位置に設けられた作動ボタンによって操作される。該フラッシュライト９０は緊急フラッシュライトとしても使用可能であり、釣針ケース１の利便性をさらに向上させる。
【００４１】
図３ａ〜３ｃは、本発明の実施の形態３に係る多用途釣針ケースの構成及び作用を示す図面である。
【００４２】
本実施の形態に係る釣針ケース１は、本体１０と、該本体の上端部にヒンジ連結された蓋１５と、前記本体内に着脱自在に装着された釣針収容体２０とを備えている。
【００４３】
該実施の形態３に係る釣針ケース１は、基本的に、前記実施の形態１及び２で説明したのと同様の作用を果たす。
【００４４】
さらに、該実施の形態３に係る釣針ケース１は、ユーザーが種々の釣針，釣り用小物，釣り糸ボビン，人造爪，記念品や他の個人的な必要物を本体１０内に個別に収容し得るように構成されており、これにより、ユーザーに対してさらなる利便性を提供している。
【００４５】
図４ａ〜図６ｅは、本発明に係る釣針ケース内に収容される釣り糸結束具の構成及び作用を示す図面である。図に示すように、釣り糸１９ｎを、選択された釣針に結束する為に使用される釣り糸結束具１９は、断面Ｕ形状の長尺釣り糸結束片１９ａを備えている。該結束片１９ａにおける互い対向する一対の押圧アームの先端部には、それぞれ、釣り糸フック１９ｃが形成されている。該釣り糸フック１９ｃは、先端に開く開口を有する側面視Ｕ字状をなしており、釣り糸１９ｎを選択された釣針に結束する際に、該釣り糸１９ｎを保持する為に使用される。
【００４６】
選択された釣針１９ｍを磁力によって吸着する為に使用される釣針マグネット１９ｆが、釣り糸結束片１９ａの先端部の所定位置に取り付けられている。斯かる場合において、釣針マグネット１９ｆは、該マグネット１９ｆの両側壁が釣り糸結束片１９ａの先端部に形成された前記押圧アーム１９ｂによってしっかりと狭持された状態で、該釣り糸結束片１９ａの先端部に設けられた凹部収容部１９ｅに装着される。このようにして、前記釣針マグネット１９ｆは、釣り糸結束片１９ａから不意に離脱することなく、該釣り糸結束片１９ａの所定位置に安定してしっかりと保持される。
【００４７】
必要時に釣り糸１９ｎを切断する為に使用される切断エッジ１９ｄが、釣り糸結束片１９ａの釣り糸フック１９ｃの開口底部に設けられている。
【００４８】
図中、符号１９ｇは、釣り糸結束片１９ａの基端部に一体的に設けられた回転部材であり、該回転部材のボスには所定位置にヒンジ軸１９ｈが配設されている。該ヒンジ軸１９ｈは、グリップ部１９ｉの互い対向するサイド支持アームに回転自在に支持されている。斯かる構成により、釣り糸結束片１９ａと一体化された回転部材１９ｇをヒンジ軸１９ｈ回りに回転させることで、グリップ部１９ｉに対して釣り糸結束片１９ａを取り出す又は収容させることができる。
【００４９】
前記グリップ部１９ｉは、前記釣り糸結束片１９ａが完全に収容状態におかれた際に、該結束片１９ａ及び回転部材１９ｇの双方を収容する長手方向に延びる収容溝１９ｊを有している。該収容溝１９ｊの各側壁内周面には、前記ヒンジ軸１９ｈ回りの周方向に延びる特定形状のガイド溝１９ｋが設けられており、該ガイド溝１９ｋは、前記結束片１９ａが前記収容溝１９ｊ内に完全に収容された際に、前記回転部材１９ｇの頭部を選択的に保持し得るようになっている。更に、前記収容溝１９ｊの先端部（外端部）には、収容時に釣り糸結束片１９ａと向き合い、該結束片１９ａを水平状態に保持する為の結束片支持部１９ｌが設けられている。
【００５０】
ここで、前記釣り糸結束具１９の作用について詳細に説明する。
釣り糸を釣針に結束させる際には、まず、前記釣り糸結束片１９ａを、図４ａ及び４ｃに示すように、グリップ部１９ｉの前記収容溝１９ｊから完全に取り出す。
【００５１】
前記釣り糸結束片１９ａを前記グリップ部１９ｉの収容溝１９ｊから完全に取り出した後、該結束片１９ａを前記釣針ケース１内に収容されている所望の釣針１９ｍに近接させる。これにより、該所望の釣針１９ｍは、図５ａ〜図６ｅに示すように、前記釣り糸結束片１９ａに配設されたマグネット１９ｆの磁力によって、前記ケース１から取り出されて該マグネット１９ｆに吸着する。このように、本発明に係る釣り糸結束具によって、ユーザーは磁力を利用して釣針ケース１から所望の釣針１９ｍを容易に取り出すことができ、従って、該結束具はユーザーが釣り糸を釣針に結束させる際に非常に便利である。
【００５２】
所望の釣針１９ｍが釣り糸結束片１９ａのマグネット１９ｆに完全に吸着されると、次に、釣り糸１９ｎを、図５ｂに示すように、釣り糸フック１９ｃに水平に引っかけ、その後、図５ｃに示すように、釣り糸結束片１９ａの押圧アーム回りに約５回程度巻き回す。そして、釣り糸１９ｎの端部を、巻き回された釣り糸１９ｎのうち，前記一対の釣り糸フック１９ｃ間に延びる釣り糸の内側へ通す。この状態において、前記釣り糸結束片１９ａの押圧アーム回りに約５回程度巻き回されている前記釣り糸１９ｎを把持した状態で、該押圧アームから外方へ取り外す。これにより、前記釣り糸１９ｎは、図５ｄに示すように、釣針１９ｍのシャンクの所望位置にしっかりと結束された状態で、該釣針１９ｍと共に釣り糸結束片１９ａから取り外される。このように、本実施の形態に係る釣り糸結束具１９によって、ユーザーは釣り糸を所望の釣針に容易且つ迅速に結束させることができる。
【００５３】
釣り糸結束具１９を用いて釣り糸１９ｎを釣針１９ｍに結束させる図５ａ〜図５ｄの方法に加えて、本発明は、釣り糸結束具を用いて釣り糸を釣針に結束させる，図６ａ〜図６ｅに示す他の方法も提供する。
【００５４】
図６ａ〜図６ｅの釣り糸結束方法を用いて釣り糸１９ｎを釣針１９ｍに結束させる場合、図６ａ及び図６ｂに示すように、釣り糸１９ｎは釣り糸結束具１９ａの押圧アーム回りに巻き回される。釣り糸の巻き回しが終わると、該釣り糸の端部を押圧アームに巻き回された釣り糸巻き体の内側に挿通させ、該釣り糸の端部を釣り糸結束片の外方へ案内する。該結束方法において、他の作業は図５ａ〜図ｄに示す方法と同様である。斯かる結束方法によっても、本発明に係る釣り糸結束具は、ユーザーに対して釣り糸を釣針に結束させる際の迅速性，容易性及び利便性を提供する。
【００５５】
前述したように、釣り糸１９ｎを釣針１９ｍに結束させた後、該釣り糸１９ｎを所望位置で切断する必要がある。釣り糸の切断を行う場合、該釣り糸のうち，切断すべき部分を釣り糸フック１９ｃの開口底部に設けられた切断エッジ１９ｄに位置させて、該釣り糸を引っ張る。このようにして釣り糸を引っ張ることにより、釣り糸は前記切断エッジ１９ｄによって所望位置で切断される。このように、本発明に係る釣り糸結束具１９によれば、ユーザーは、別体の切断手段を用いることなく、釣り糸を所望位置で切断することができる。
【００５６】
前記結束具１９を用いて釣り糸を結束させた後、前記釣り糸結束片１９ａはグリップ部１９ｉの収容溝１９ｊ内に収容される。
【００５７】
前記釣り糸結束片１９ａと一体化された前記回転部材１９ｇをヒンジ軸１９ｈ回りに回転させることによって、該釣り糸結束片１９ａをグリップ部１９ｉの収容溝１９ｊ内に収容させることができる。斯かる場合において、前記結束片支持部１９ｌが収容溝１９ｊ内に収容された結束片１９ａを水平に支持しつつ、前記収容溝１９ｊの両側壁に設けられたガイド溝１９ｋが回転部材１９ｇの頭部を選択的に保持する。
【００５８】
前記釣り糸結束具１９を用いて釣り糸を釣針に結束する場合には、該結束具１９における釣り糸結束片をグリップ部の収容溝から取り出して、釣り糸を釣針に結束させる。斯かる釣り糸結束具によれば、ユーザーは、釣り中に、容易且つ迅速に釣り糸を釣針に結束させることができる。
【００５９】
（産業上利用性）
以上のように、本発明は、ユーザーが釣り糸を迅速且つ容易に釣針に結束させることのできる釣り糸結束具を備えた多用途釣針ケースを提供する。該釣針ケースは、さらに、釣り糸が結束された釣針又は釣り糸が結束されていない釣針を、共働する釣針収容体に容易且つ確実に収容し得るように構成されている。前記釣針ケースには、魚の重量測定手段や大きさ測定手段、及び／又は、ラジオ、ガスライター、及び／又はフラッシュライトを備えることができる。
【図面の簡単な説明】
【図１ａ】  図１ａは、本発明の実施の形態１に係る多用途釣針ケースの構成及び作動状態を示す図面である。
【図１ｂ】  図１ｂは、本発明の実施の形態１に係る多用途釣針ケースの構成及び作動状態を示す図面である。
【図１ｃ】  図１ｃは、本発明の実施の形態１に係る多用途釣針ケースの構成及び作動状態を示す図面である。
【図１ｄ】  図１ｄは、本発明の実施の形態１に係る多用途釣針ケースの構成及び作動状態を示す図面である。
【図２ａ】  図２ａは、本発明の実施の形態２に係る多用途釣針ケースの構成及び作動状態を示す図面である。
【図２ｂ】  図２ｂは、本発明の実施の形態２に係る多用途釣針ケースの構成及び作動状態を示す図面である。
【図３ａ】  図３ａは、本発明の実施の形態３に係る多用途釣針ケースの構成及び作動状態を示す図面である。
【図３ｂ】  図３ｂは、本発明の実施の形態３に係る多用途釣針ケースの構成及び作動状態を示す図面である。
【図３ｃ】  図３ｃは、本発明の実施の形態３に係る多用途釣針ケースの構成及び作動状態を示す図面である。
【図４ａ】  図４ａは、本発明に係る多用途釣針ケースに収容される釣り糸結束具の一例を示す図面である。
【図４ｂ】  図４ｂは、本発明に係る多用途釣針ケースに収容される釣り糸結束具の一例を示す図面である。
【図４ｃ】  図４ｃは、本発明に係る多用途釣針ケースに収容される釣り糸結束具の一例を示す図面である。
【図５ａ】  図５ａは、前記釣り糸結束具を用いて釣り糸を釣針に結束させる一方法を示す図面である。
【図５ｂ】  図５ｂは、前記釣り糸結束具を用いて釣り糸を釣針に結束させる一方法を示す図面である。
【図５ｃ】  図５ｃは、前記釣り糸結束具を用いて釣り糸を釣針に結束させる一方法を示す図面である。
【図５ｄ】  図５ｄは、前記釣り糸結束具を用いて釣り糸を釣針に結束させる一方法を示す図面である。
【図６ａ】  図６ａは、前記釣り糸結束具を用いて釣り糸を釣針に結束させる他の方法を示す図面である。
【図６ｂ】  図６ｂは、前記釣り糸結束具を用いて釣り糸を釣針に結束させる他の方法を示す図面である。
【図６ｃ】  図６ｃは、前記釣り糸結束具を用いて釣り糸を釣針に結束させる他の方法を示す図面である。
【図６ｄ】  図６ｄは、前記釣り糸結束具を用いて釣り糸を釣針に結束させる他の方法を示す図面である。
【図６ｅ】  図６ｅは、前記釣り糸結束具を用いて釣り糸を釣針に結束させる他の方法を示す図面である。
【図１ａ】
0004485071.tif 000002
【図１ｂ】
0004485071.tif 000003
【図１ｃ】
0004485071.tif 000004
【図１ｄ】
0004485071.tif 000005
【図２ａ】
0004485071.tif 000006
【図２ｂ】
0004485071.tif 000007
【図３ａ】
0004485071.tif 000008
【図３ｂ】
0004485071.tif 000009
【図３ｃ】
0004485071.tif 000010
【図４ａ】
0004485071.tif 000011
【図４ｂ】
0004485071.tif 000012
【図４ｃ】
0004485071.tif 000013
【図５ａ】
0004485071.tif 000014
【図５ｂ】
0004485071.tif 000015
【図５ｃ】
0004485071.tif 000016
【図５ｄ】
0004485071.tif 000017
【図６ａ】
0004485071.tif 000018
【図６ｂ】
0004485071.tif 000019
【図６ｃ】
0004485071.tif 000020
【図６ｄ】
0004485071.tif 000021
【図６ｅ】
0004485071.tif 000022